(57)【要約】  【課題】光源として冷陰極管ランプを備える画像読取装置において、読み取り画質を向上するとともに、立ち上がり時間をより短くする。  【解決手段】画像読取装置は、第二の電圧よりも高い第一の電圧を前記光源に印加した状態で前記センサーによって前記光源の光量を検出し、当該光量の変化率が第一の基準値以下になってから、前記第二の電圧を前記光源に印加した状態で前記センサーによって前記光源の光量を検出し、当該光量の変化率が第二の基準値以下になってから、白基準データを取得する。【選択図】図２
2012090072.tif 000002
【特許請求の範囲】
【請求項１】
画像読取装置であって、
冷陰極管からなる光源と、
前記光源からの光を検出するセンサーと、
前記光源及び前記センサーを制御する制御手段と、を備え、
前記制御手段は、第二の電圧よりも高い第一の電圧を前記光源に印加した状態で前記センサーによって前記光源の光量を検出し、当該光量の変化率が第一の基準値以下になってから、前記第二の電圧を前記光源に印加した状態で前記センサーによって前記光源の光量を検出し、当該光量の変化率が第二の基準値以下になってから、白基準データを取得する、
ことを特徴とする画像読取装置。
【請求項２】
請求項１に記載の画像読取装置であって、
前記第二の基準値は、前記第一の基準値よりも小さい、
ことを特徴とする画像読取装置。
【請求項３】
請求項１又は２に記載の画像読取装置であって、
前記制御手段は、前記第一の基準値及び前記第二の基準値の設定変更をユーザーから受け付ける、
ことを特徴とする画像読取装置。
【請求項４】
請求項１〜３いずれか一項に記載の画像読取装置であって、
前記制御手段は、前記第一の基準値及び前記第二の基準値を、前記画像読取装置の動作モードに応じて変更する、
ことを特徴とする画像読取装置。
【請求項５】
請求項４に記載の画像読取装置であって、
前記動作モードには、標準モード、速度優先モード、及び画質優先モードの少なくとも２つ以上が含まれ、
各モードに対応する前記第一の基準値及び前記第二の基準値の値は、速度優先モード、標準モード、画質優先モードの順に大きい、
ことを特徴とする画像読取装置。
【請求項６】
請求項１〜５いずれか一項に記載の画像読取装置であって、
前記制御手段は、前記第一の基準値及び前記第二の基準値を、前記画像読取装置について設定された属性に応じて変更する、
ことを特徴とする画像読取装置。
【請求項７】
請求項６に記載の画像読取装置であって、
前記属性は、前記画像読取装置の位置する地域、又は前記画像読取装置の設置環境であり、
各属性における前記第一の基準値及び前記第二の基準値の値は、地域又は設置環境について予め定められた温度によって異なる、
ことを特徴とする画像読取装置。
【請求項８】
請求項１〜７いずれか一項に記載の画像読取装置であって、
前記制御手段は、前記第一電圧の印加を、前記画像読取装置の電源投入時、及び節電モードからの復帰時の少なくともいずれか一方において開始する、
ことを特徴とする画像読取装置。
【請求項９】
請求項１〜８いずれか一項に記載の画像読取装置であって、
前記センサーは、画像読取用のセンサーである、
ことを特徴とする画像読取装置。
【発明の詳細な説明】
【技術分野】
【０００１】
本発明は、画像読取装置に関し、特に、光源として冷陰極管ランプを備える画像読取装置に関する。
【背景技術】
【０００２】
スキャナー、コピー機、複合機などの画像読取装置には、光源として冷陰極管ランプを備えたものがある。一般に、冷陰極管ランプは、安定した光量に達するまである程度の時間（以下、「立ち上がり時間」ともいう。）を要する。また、一般に、冷陰極管ランプは、その付近の環境温度が高くなるにつれて、その立ち上がり時間が短くなる特性がある。この立ち上がり時間は、実際の画像読取動作が開始されるまでの待ち時間に含まれる。
【０００３】
陰冷極管ランプの立ち上がり時間を環境温度に応じた適切なものにするための技術がある（例えば、特許文献１）。特許文献１では、画像読み取り時の印加電圧よりも高い印加電圧で冷陰極管ランプを立ち上げるとともに、冷陰極管ランプの光量を基準時間毎にセンサーで検出し、基準時間毎の光量変化率が、環境温度に応じて予め設定された基準値以下となった場合に、画像信号をＡ／Ｄ変換するためのゲイン調整及び白基準データに基づく白基準調整を行い、その後、前記高い電圧を前記画像読み取り時の印加電圧に切り替え、画像読取動作可能な状態に移行する。
【先行技術文献】
【特許文献】
【０００４】
【特許文献１】特開２００５−４５３０９号公報
【発明の概要】
【発明が解決しようとする課題】
【０００５】
しかしながら、上記の特許文献１では、白基準調整は、画像読み取り時の印加電圧よりも高い電圧が冷陰極管ランプに印加された状態で行われている。そのため、実際の画像読み取り時においては、出力画像が暗くなり、画質が低下する場合がある。
【０００６】
また、上記の特許文献１では、光量変化率が所定の基準値以下となるまで、高い電圧が冷陰極管ランプに印加され続ける。そのため、環境温度が高い状況においては、冷陰極管ランプの立ち上がりが早く（光量変化率が大きく）なり、却って光量の安定に時間がかかる場合がある。
【０００７】
そこで、本発明は、光源として冷陰極管ランプを備える画像読取装置において、読み取り画質を向上するとともに、立ち上がり時間をより短くすることを目的とする。
【課題を解決するための手段】
【０００８】
上記の課題を解決するための本発明の一態様は、
画像読取装置であって、
冷陰極管からなる光源と、
前記光源からの光を検出するセンサーと、
前記光源及び前記センサーを制御する制御手段と、を備え、
前記制御手段は、第二の電圧よりも高い第一の電圧を前記光源に印加した状態で前記センサーによって前記光源の光量を検出し、当該光量の変化率が第一の基準値以下になってから、前記第二の電圧を前記光源に印加した状態で前記センサーによって前記光源の光量を検出し、当該光量の変化率が第二の基準値以下になってから、白基準データを取得する、
ことを特徴とする。
【０００９】
ここで、上記の画像読取装置において、
前記第二の基準値は、前記第一の基準値よりも小さい、
ことを特徴としていてもよい。
【００１０】
また、上記のいずれかの画像読取装置において、
前記制御手段は、前記第一の基準値及び前記第二の基準値の設定変更をユーザーから受け付ける、
ことを特徴としていてもよい。
【００１１】
また、上記のいずれかの画像読取装置において、
前記制御手段は、前記第一の基準値及び前記第二の基準値を、前記画像読取装置の動作モードに応じて変更する、
ことを特徴としていてもよい。
【００１２】
また、上記のいずれかの画像読取装置において、
前記動作モードには、標準モード、速度優先モード、及び画質優先モードの少なくとも２つ以上が含まれ、
各モードに対応する前記第一の基準値及び前記第二の基準値の値は、速度優先モード、標準モード、画質優先モードの順に大きい、
ことを特徴としていてもよい。
【００１３】
また、上記のいずれかの画像読取装置において、
前記制御手段は、前記第一の基準値及び前記第二の基準値を、前記画像読取装置について設定された属性に応じて変更する、
ことを特徴としていてもよい。
【００１４】
また、上記のいずれかの画像読取装置において、
前記属性は、前記画像読取装置の位置する地域、又は前記画像読取装置の設置環境であり、
各属性における前記第一の基準値及び前記第二の基準値の値は、地域又は設置環境について予め定められた温度によって異なる、
ことを特徴としていてもよい。
【００１５】
また、上記のいずれかの画像読取装置において、
前記制御手段は、前記第一電圧の印加を、前記画像読取装置の電源投入時、及び節電モードからの復帰時の少なくともいずれか一方において開始する、
ことを特徴としていてもよい。
【００１６】
また、上記のいずれかの画像読取装置において、
前記センサーは、画像読取用のセンサーである、
ことを特徴としていてもよい。
【図面の簡単な説明】
【００１７】
【図１】本発明の第一実施形態に係る画像読取装置のハードウェアの概略構成例を示すブロック図である。
【図２】本発明の第一実施形態に係る画像読取装置の光源の立ち上げ処理の一例を示すフロー図である。
【図３】本発明の第一実施形態に係る画像読取装置における光量と時間の関係を示す図である。
【図４】本発明の第一実施形態の第一変形例に係る画像読取装置の光源の立ち上げ処理の一例を示すフロー図である。
【発明を実施するための形態】
【００１８】
以下、本発明の第一実施形態について、図面を参照して説明する。
【００１９】
図１は、本発明の第一実施形態に係る画像読取装置のハードウェアの概略構成例を示すブロック図である。本図は、画像読取装置１００の光源の立ち上げ処理に関する構成を中心に図示しており、一般的な画像読取装置が備える構成を排除するものではない。
【００２０】
画像読取装置１００は、例えば、スキャナー、コピー機、複合機などの装置である。
【００２１】
画像読取装置１００は、例えば、筐体の上面に原稿台（不図示）を備えた、いわゆるフラットベッド型画像読取装置である。画像読取装置１００は、光源１５０により原稿台に載置された原稿に光を当て、センサー１７０により原稿の画像を読み取る。
【００２２】
また、画像読取装置１００は、光源１５０の光量を検出して、検出した光量に基づいて光源１５０の立ち上げを制御する機構を有している。本実施形態では、画像読取装置１００は、光源１５０を点灯させるとともにセンサー１７０により光源１５０の光を検知し、光量を計測する。また、画像読取装置１００は、計測した光量から光量変化率を算出し、該光量変化率に基づいて、光源１５０への印加電圧の切り替えタイミングの決定などを行う。詳細については後述する。
【００２３】
また、画像読取装置１００は、シェーディング補正を行うために使用する白基準データを生成するための機構を有している。本実施形態では、画像読取装置１００は、例えば、反射率の高い均一な反射面である白基準板（不図示）を筐体の上面に備える。画像読取装置１００は、光源１５０を点灯させて、センサー１７０により白基準板を読み取り、白基準データを生成する。詳細については後述する。
【００２４】
上述の処理を行うため、画像読取装置１００は、例えば、メモリー１１０と、ＣＰＵ１２０と、画像処理部１３０と、光源駆動部１４０と、光源１５０と、センサー駆動部１６０と、センサー１７０と、Ａ／Ｄ変換部１８０とを備える。
【００２５】
メモリー１１０、ＣＰＵ１２０、画像処理部１３０、及びＡ／Ｄ変換部１８０は、例えば、コントローラー基板（不図示）に搭載される。光源駆動部１４０、光源１５０、センサー駆動部１６０、及びセンサー１７０は、例えば、キャリッジ（不図示）に搭載される。もちろん、各デバイスの搭載箇所は上記に限られず、例えば、Ａ／Ｄ変換部１８０はキャリッジに搭載されてもよいし、光源駆動部１４０及びセンサー駆動部１６０は、コントローラー基板に搭載されてもよい。
【００２６】
メモリー１１０は、ＲＡＭやＲＯＭなどの記憶装置である。メモリー１１０には、例えば、画像読取装置１００を制御するためのプログラムやデータが予め格納される。また、メモリー１１０には、画像読取装置１００が動作中に必要なプログラムやデータが格納される。データとしては、例えば、画像データや、白基準データなどが格納される。
【００２７】
ＣＰＵ１２０は、画像読取装置１００を統合的に制御する演算装置である。ＣＰＵ１２０は、例えば、所定のプログラムを実行することにより、光源駆動部１４０に指示を出して光源１５０を点灯させるとともに、センサー駆動部１６０に指示を出してセンサー１７０に画像を読み取らせる。詳細は後述するが、ＣＰＵ１２０は、光源１５０の立ち上げ処理、及び白基準データを取得する処理を制御する。
【００２８】
画像処理部１３０は、Ａ／Ｄ変換部１８０から出力されたデジタルデータにシェーディング補正などの各種補正を施して、メモリー１１０に出力する回路である。例えば、シェーディング補正を行う場合、画像処理部１３０は、Ａ／Ｄ変換部１８０から出力された白基準データ、黒基準データ、画像データを、それぞれ、メモリー１１０に記憶し、対応する画素ごとに、所定の補正式に従ったシェーディング補正を行う。補正後、画像処理部１３０は、補正済みの画像データを、メモリー１１０に出力する。
【００２９】
光源駆動部１４０は、光源１５０に対する電圧の印加を制御する回路である。光源駆動部１４０は、例えば、ＣＰＵ１２０の指示に従って、光源１５０を立ち上げる際の初期電圧と初期電圧よりも小さい画像読み取りの際の読取電圧とを切り替えて光源１５０に印加する。
【００３０】
光源１５０は、陰冷極管ランプからなる白色光源である。光源１５０は、光源駆動部１４０により駆動され、例えば、立ち上げ、原稿の読み取りの際などに点灯する。
【００３１】
センサー駆動部１６０は、センサー１７０の動作を制御する回路である。センサー駆動部１６０は、例えば、ＣＰＵ１２０の指示に従って、クロックパルス、及び光電変換により蓄積した電荷をＡ／Ｄ変換部１８０に出力するシフトパルスをセンサー１７０に出力する。
【００３２】
センサー１７０は、光イメージセンサーである。センサー１７０は、例えば、原稿に反射した光を受光し、受光量に応じた電荷を蓄積し、画像読取データ（電気信号）として、Ａ／Ｄ変換部１８０に出力する。電荷の蓄積及びデータの出力タイミングは、センサー駆動部１６０から送られるクロックパルス、及びシフトパルスにより制御される。
【００３３】
Ａ／Ｄ変換部１８０は、センサー１７０から出力されたアナログデータをデジタルデータに変換する回路である。Ａ／Ｄ変換部１８０は、センサー１７０から出力されたアナログの画像データをデジタルデータに変換し、画像処理部１３０に出力する。
【００３４】
以上が、本発明の第一実施形態に係る画像読取装置のハードウェアの概略構成例である。ただし、この構成は、本願発明の特徴を説明するにあたって主要構成を説明したのであって、上記の構成に限られない。また、一般的な画像読取装置が備える構成を排除するものではない。
【００３５】
次に、上記の画像読取装置１００における光源１５０の立ち上げ動作について説明する。
【００３６】
図２は、本発明の第一実施形態に係る画像読取装置の光源の立ち上げ処理の一例を示すフロー図である。なお、説明を分かり易くするため、本フローの各処理は、ＣＰＵ１２０を主体として説明するが、より具体的には、例えば、ＣＰＵ１２０がプログラムを実行することにより実現される機能部や、コントローラー又は画像読取装置のソフトウェア及びハードウェアが協働することにより実現される機能部が主体であってもよい。
【００３７】
本フローは、例えば、画像読取装置１００の電源が投入された場合、節電モードから通常の動作モードに復帰した場合、画像読取開始の指示がユーザーにより入力された場合など、画像読取可能な状態に移行すべき場合に実行される。
【００３８】
Ｓ１０では、ＣＰＵ１２０は、初期電圧Ｖ１を光源１５０に印加する。具体的には、ＣＰＵ１２０は、初期電圧Ｖ１の印加の開始を光源駆動部１４０に指示し、処理をＳ２０に進める。
【００３９】
Ｓ２０では、ＣＰＵ１２０は、光量Ｘ１を検出する。具体的には、ＣＰＵ１２０は、光源１５０が初期電圧Ｖ１で点灯した状態でセンサー１７０から出力され、Ａ／Ｄ変換部１８０により変換されたデータを、光量Ｘ１として取得し、処理をＳ３０に進める。
【００４０】
Ｓ３０では、ＣＰＵ１２０は、光量Ｘ２を検出する。具体的には、ＣＰＵ１２０は、Ｓ３０に進んでから所定時間（後述する光量変化率を算出するための所定の単位時間（光量検出の単位時間））経過後、光源１５０が初期電圧Ｖ１で点灯した状態でセンサー１７０から出力され、Ａ／Ｄ変換部１８０により変換されたデータを、光量Ｘ２として取得し、処理をＳ４０に進める。
【００４１】
Ｓ４０では、ＣＰＵ１２０は、光量変化率Ｌ１と光量Ｘ１及び光量Ｘ２に基づいて算出した光量変化率とを比較する。
【００４２】
具体的には、本実施形態では、光量変化率とは、ある第一の時点の光量Ｘ１と、第一の時点から所定の単位時間経過した第二の時点の光量Ｘ２との差分の絶対値を、光量Ｘ１で除した値である（式：｜Ｘ２−Ｘ１｜／Ｘ１）。また、光量変化率Ｌ１は、予め定められた値であり、後述する光量変化率Ｌ２よりも大きな値である。光量変化率Ｌ１は、初期電圧Ｖ１により光源１５０の自己発熱量が十分に増加したことが判定できる値であればよく、画像読み取りに適した光量の安定が判定できる値でなくてよい。光量変化率Ｌ２よりも大きい値であることにより、光量変化がある程度大きくても（画像読み取りに適するほど光量が安定していなくても）、Ｓ４０の判定でＹｅｓと判定されることとなる。
【００４３】
ＣＰＵ１２０は、光量Ｘ１から光量２までの光量変化率を算出し、算出した光量変化率が光量変化率Ｌ１以下であるか否かを判定する（式：Ｌ１  ≧  ｜Ｘ２−Ｘ１｜／Ｘ１）。算出した光量変化率が光量変化率Ｌ１より大きい場合（Ｓ４０：Ｎｏ）、処理をＳ５０に進める。算出した光量変化率が光量変化率Ｌ１以下である場合（Ｓ４０：Ｙｅｓ）、処理をＳ６０に進める。
【００４４】
Ｓ５０では、ＣＰＵ１２０は、光量Ｘ１に光量Ｘ２を代入し（光量Ｘ１を光量Ｘ２に置き換え）、処理をＳ３０に進める。
【００４５】
Ｓ６０では、ＣＰＵ１２０は、初期電圧Ｖ１を読取電圧Ｖ２へ切り替え、光源１５０に印加する。具体的には、ＣＰＵ１２０は、読取電圧Ｖ２の印加の開始を光源駆動部１４０に指示し、処理をＳ７０に進める。
【００４６】
Ｓ７０では、ＣＰＵ１２０は、光量Ｘ１を検出する。具体的には、ＣＰＵ１２０は、光源１５０が読取電圧Ｖ２で点灯した状態でセンサー１７０から出力され、Ａ／Ｄ変換部１８０により変換されたデータを、光量Ｘ１として取得し、処理をＳ８０に進める。
【００４７】
Ｓ８０では、ＣＰＵ１２０は、光量Ｘ２を検出する。具体的には、ＣＰＵ１２０は、Ｓ８０に進んでから所定時間経過後、光源１５０が読取電圧Ｖ２で点灯した状態でセンサー１７０から出力され、Ａ／Ｄ変換部１８０により変換されたデータを、光量Ｘ２として取得し、処理をＳ９０に進める。
【００４８】
Ｓ９０では、ＣＰＵ１２０は、光量変化率Ｌ２と光量Ｘ１及び光量Ｘ２に基づいて算出した光量変化率とを比較する。
【００４９】
具体的には、光量変化率Ｌ２は、予め定められた値であり、上述した光量変化率Ｌ１よりも小さな値である。光量変化率Ｌ２は、読取電圧Ｖ２により光源１５０の光量が画像読み取りに適した安定性の状態に至ったことを判定できる値である。光量変化率Ｌ１よりも小さい値であることにより、光量変化がある程度小さくならなければ（画像読み取りに適する光量の安定が得られなければ）、Ｓ９０の判定でＮｏと判定されることとなる。
【００５０】
ＣＰＵ１２０は、光量Ｘ１から光量２までの光量変化率を算出し、算出した光量変化率が光量変化率Ｌ２以下であるか否かを判定する（式：Ｌ２  ≧  ｜Ｘ２−Ｘ１｜／Ｘ１）。算出した光量変化率が光量変化率Ｌ２より大きい場合（Ｓ９０：Ｎｏ）、処理をＳ１００に進める。算出した光量変化率が光量変化率Ｌ２以下である場合（Ｓ９０：Ｙｅｓ）、処理をＳ１１０に進める。
【００５１】
Ｓ１００では、ＣＰＵ１２０は、光量Ｘ１に光量Ｘ２を代入し（光量Ｘ１を光量Ｘ２に置き換え）、処理をＳ８０に進める。
【００５２】
Ｓ１１０では、ＣＰＵ１２０は、白基準データを取得する。具体的には、ＣＰＵ１２０は、白基準板を読み取るための所定位置において、光源１５０が読取電圧Ｖ２で点灯した状態でセンサー１７０から出力され、Ａ／Ｄ変換部１８０により変換されたデータを、白基準データとして取得し、本フローを終了する。
【００５３】
なお、本フローの終了後、画像読取装置１００は、白基準調整が行われ、画像読み取りの準備が完了した状態となる。
【００５４】
上述のフローの各処理単位は、画像読取装置１００の処理を理解容易にするために、主な処理内容に応じて分割したものである。処理単位の分割の仕方や名称によって、本願発明が制限されることはない。画像読取装置１００の処理は、処理内容に応じて、さらに多くの処理単位に分割することもできる。また、１つの処理単位がさらに多くの処理を含むように分割することもできる。
【００５５】
図３は、本発明の第一実施形態に係る画像読取装置における光量と時間の関係を示す図である。なお、本図は、本実施形態の効果を説明するために分かり易く説明するためのものであり、光量変化などの態様は本図に限られるものではない。
【００５６】
従来の技術では、初期電圧Ｖ１´により光源の立ち上げが行われ、光量変化率が所定の基準（画像読み取りに適した光量変化率）以下となった場合に、白基準データが取得され（Ｔ２直前）、読取電圧Ｖ２´に切り替えられる（Ｔ２）。そして、画像読み取りの準備が完了した状態となる（Ｔ２の後）。
【００５７】
従って、環境温度が高い状況で、光量変化率が急に上がった場合には、画像読み取りに適した光量変化率に下がるまでに時間がかかることがある。また、初期電圧Ｖ１´が光源に印加される時間が長くなるため、光源の寿命が縮まり易くなる。また、白基準データは初期電圧Ｖ１´の状態で取得されるため、この白基準データが読取電圧Ｖ２´の状態で使用されると、出力画像が暗くなり、画質が低下する。
【００５８】
これに対して、本実施形態では、初期電圧Ｖ１により光源の立ち上げが行われ、光量変化率が第一の所定基準（画像読み取りに適するほど光量が安定していなくてよい）以下となった場合に、読取電圧Ｖ２に切り替えられる（Ｔ０）。その後、読取電圧Ｖ２により光源の立ち上げが継続され、光量変化率が第二の所定基準（画像読み取りに適した光量変化率）以下となった場合に、白基準データが取得される（Ｔ１直前）。そして、画像読み取りの準備が完了した状態となる（Ｔ１〜Ｔ２の間）。
【００５９】
従って、環境温度が高い状況で、光量変化率が急に上がっても、第一の所定の基準を従来よりも早く通過し、読取電圧Ｖ２に切り替えられる。また、印加電圧が下がることにより、光量変化率が小さくなるため（安定し易くなるため）、第二の所定の基準を通過し易くなる。その結果、初期電圧の印加開始から画像読み取りの準備完了まで、従来よりも短い時間で至ることができる。また、初期電圧が光源に印加される時間が短くなるため、光源の消耗が減り、寿命が長くなる。
【００６０】
さらに、白基準データは、読取電圧の状態で取得されることにより、実際の画像読み取りと同じ又は近い状態でのデータとなる。そのため、白基準データが初期電圧の状態で取得される場合と比べ、出力画像が全体的に明るくなり、画質が向上する。また、センサーのダイナミックレンジを大きくできるため、画質が向上する。
【００６１】
なお、環境温度が低い状況では、光量変化率が小さくなり易いため、光量が不安定な状態で初期電圧から読取電圧への切り替わることがあるが、第二の所定基準は第一の所定基準値よりも小さく設定されることにより、光量の安定は精度よく判定することができる。
【００６２】
なお、本実施形態では、画像読取装置は、光センサーと別に温度検知センサーを設けたり、環境温度に応じて光量変化率の基準値や光量検出の単位時間などを変更可能な構造としたりしていないため、回路が複雑になって製造コストが上がるのを防ぐことができる。
【００６３】
以上、本発明の第一実施形態について説明した。本実施形態によれば、光源として冷陰極管ランプを備える画像読取装置において、読み取り画質を向上するとともに、立ち上がり時間をより短くすることができる。
【００６４】
次に、第一実施形態の第一変形例について、第一実施形態と異なる点を中心に説明する。
【００６５】
本変形例では、画像読取装置１００は、動作モードに応じて、光量変化率Ｌ１、Ｌ２、及び光量検出の単位時間に異なる値を設定する。動作モードには、例えば、標準の画質及び標準の速度で画像読み取りを行う標準モードと、標準モードよりも低画質及び高速度で画像読み取りを行う速度優先モードと、標準モードよりも高画質及び低速度で画像読み取りを行う画質優先モードとが含まれる。後述するように、速度優先モードでは、光量検出の単位時間を標準モードよりも短く設定し、画質優先モードでは、光量検出の単位時間を標準モードよりも長く設定する。
【００６６】
もちろん、動作モードはこれらに限られず、上記の中の少なくとも２つであってもよいし、他のモードを含めた４つ以上であってもよい。また、動作モードごとに、光量変化率Ｌ１及びＬ２の両方を異なるように設定せず、いずれか一方のみを異なるようにしてもよい。
【００６７】
動作モードの設定は、例えば、画像読取装置１００の操作パネル（不図示）を介してＣＰＵ１２０が受け付けたり、画像読取装置１００のネットワークインターフェイス（不図示）を介してホストコンピューターから受け付けたりする。もちろん、動作モードの設定方法はこれらに限られない。
【００６８】
図４は、本発明の第一実施形態の第一変形例に係る画像読取装置の光源の立ち上げ処理の一例を示すフロー図である。なお、本フローは、上述した図２と同様のタイミングで開始され、図２のＳ１０の前に実行される。
【００６９】
Ｓ１では、ＣＰＵ１２０は、設定されている動作モードを判定する。動作モードが標準モードである場合（Ｓ１：標準モード）、処理をＳ２に進める。動作モードが速度優先モードである場合（Ｓ１：速度優先モード）、処理をＳ３に進める。動作モードが画質優先モードである場合（Ｓ１：画質優先モード）、処理をＳ４に進める。
【００７０】
Ｓ２では、ＣＰＵ１２０は、光量変化率Ｌ１、Ｌ２、及び光量検出の単位時間に、それぞれ標準モード用の値を設定する。Ｓ３では、ＣＰＵ１２０は、光量変化率Ｌ１、Ｌ２、及び光量検出の単位時間に、それぞれ速度優先モード用の値を設定する。Ｓ４では、ＣＰＵ１２０は、光量変化率Ｌ１、Ｌ２、及び光量検出の単位時間に、それぞれ画質優先モード用の値を設定する。上記のいずれかの処理終了後、処理をＳ１０（図２）に進める。
【００７１】
ここで、速度優先モード用の光量変化率Ｌ１及びＬ２は、標準モード用の光量変化率Ｌ１及びＬ２よりも大きい値に設定され、速度優先モード用の光量検出の単位時間は、標準モード用の光量検出の単位時間よりも小さい値に設定される。これにより、速度優先モードの場合、立ち上がりから読取準備完了までの時間が短くなる。一方で、画質優先モード用の光量変化率Ｌ１及びＬ２は、標準モード用の光量変化率Ｌ１及びＬ２よりも小さい値に設定され、画質優先モード用の光量検出の単位時間は、標準モード用の光量検出の単位時間よりも大きい値に設定される。これにより、画質優先モードの場合、立ち上がりから読取準備完了までの時間が長くなるが、光源の光量がより安定した状態となるため、画質が向上し易くなる。
【００７２】
以上、第一変形例について説明した。第一変形例によれば、第一実施形態の効果に加え、ユーザーの要望に応じて、立ち上がり時間や画質を調整することができる。
【００７３】
次に、第一実施形態の第二変形例について、第一実施形態と異なる点を中心に説明する。
【００７４】
本変形例では、画像読取装置１００は、画像読取装置１００の属性に応じて、光量変化率Ｌ１及びＬ２に異なる値を設定する。属性には、例えば、地域や、設置環境などである。もちろん、属性はこれらに限られない。また、属性ごとに、光量変化率Ｌ１及びＬ２の両方を異なるように設定せず、いずれか一方のみを異なるようにしてもよい。
【００７５】
属性が地域の場合、例えば、画像読取装置１００は、県や地方などの行政区画ごとに、光量変化率Ｌ１及びＬ２を記憶しておく。各行政区画の光量変化率Ｌ１及びＬ２は、当該行政区画の年間平均気温などに基づいて立ち上がり時間が最適になる値（例えば、平均気温が低いほど小さな値）が予め定められている。画像読取装置１００は、操作パネルやネットワークインターフェイスを介して、ユーザーから行政区画の設定を受け付け、立ち上げの際に、設定された行政区画に応じた光量変化率Ｌ１及びＬ２を設定する。
【００７６】
属性が設置環境の場合、例えば、画像読取装置１００は、部屋の平均気温などの設置環境ごとに、光量変化率Ｌ１及びＬ２を記憶しておく。各設置環境の光量変化率Ｌ１及びＬ２は、当該平均気温に基づいて立ち上がり時間が最適になる値（例えば、平均気温が低いほど小さな値）が予め定められている。画像読取装置１００は、操作パネルやネットワークインターフェイスを介して、ユーザーから設置環境の設定を受け付け、立ち上げの際に、設定された設置環境に応じた光量変化率Ｌ１及びＬ２を設定する。
【００７７】
以上、第二変形例について説明した。第二変形例によれば、第一実施形態の効果に加え、画像読取装置の属性に応じて、立ち上がり時間や画質を調整することができる。
【００７８】
なお、上記の本発明の各実施形態は、本発明の要旨と範囲を例示することを意図し、限定するものではない。多くの代替物、修正および変形例が当業者にとって明らかである。
【００７９】
例えば、第一変形例と第二変形例は組み合わせてもよい。
【００８０】
また、例えば、光量変化率Ｌ１及びＬ２は、これらの値をユーザーが直接設定できてもよい。
【００８１】
また、例えば、画像読取装置１００は、フラットヘッド型画像読取装置に限らず、シートスルー型画像読取装置であってもよい。
【符号の説明】
【００８２】
１００：画像読取装置、１１０：メモリー、１２０：ＣＰＵ、１３０：画像処理部、１４０：光源駆動部、１５０：光源、１６０：センサー駆動部、１７０：センサー、１８０：Ａ／Ｄ変換部
【図１】
2012090072.tif 000003
【図２】
2012090072.tif 000004
【図３】
2012090072.tif 000005
【図４】
2012090072.tif 000006